(57)【特許請求の範囲】
【請求項１】
放送信号を受信するとともに外部装置が接続可能な通信システムであって、
前記通信システムは、送信装置と受信装置とを含み、
前記送信装置は、
前記放送信号を受信する受信部と、
前記受信部により受信した前記放送信号を前記受信装置へ送信する第１の通信部と、
前記受信装置への前記放送信号の送信を制御する第１の制御部と、
静止画信号を生成する静止画生成部と、
無音信号を生成する無音信号生成部と、
前記受信部からの前記放送信号および前記静止画生成部からの前記静止画信号を選択的に前記第１の通信部へ出力する第１の選択部とを備え、
前記受信装置は、
前記送信装置から送信された前記放送信号を受信する第２の通信部と、
前記外部装置からの外部信号を取得する取得部と、
前記第２の通信部からの放送信号および前記取得部からの外部信号を選択的に出力する第２の選択部と、
前記第２の選択部から出力されるべき信号の切り替えを指示する指示部と、
前記指示部により信号の切り替えが指示されたことを示す制御信号を生成する制御信号生成部とを備え、
前記受信装置の前記第２の通信部は、前記制御信号を前記送信装置へ送信し、
前記送信装置の前記第１の通信部は、前記受信装置により送信される前記制御信号を受信し、
前記送信装置の前記第１の制御部は、前記第１の通信部により受信された前記制御信号が前記放送信号から前記外部信号への切り替えを示す場合に、前記第１の選択部により前記静止画信号および前記無音信号を出力し、
前記送信装置の前記第１の通信部は、前記第１の選択部により出力された前記静止画信号および前記無音信号を前記受信装置へ送信する、通信システム。
【請求項２】
前記受信装置は、
所定の情報信号を生成する情報生成部をさらに備え、
前記第２の選択部は、
前記指示部により前記外部信号から前記放送信号への切り替えが指示された場合に、前記情報生成部により生成された前記所定の情報信号を所定期間出力した後に前記放送信号を出力する、請求項１記載の通信システム。
【請求項３】
前記所定期間は、前記指示部により前記放送信号への切り替えが指示されてから前記放送信号が出力可能になるまでの期間である、請求項２記載の通信システム。
【請求項４】
前記第２の選択部は、前記指示部により前記外部信号から前記放送信号への切り替えが指示された場合に、前記第２の通信部により前記制御信号が前記送信装置へ送信されてから前記放送信号が出力可能になるまでの期間、前記情報生成部により生成された情報信号を出力する、請求項２または３記載の通信システム。
【請求項５】
前記送信装置は、前記第１の通信部による前記制御信号の受信に応答して応答信号を生成する応答信号生成部をさらに備え、
前記第１の通信部は、前記応答信号生成部により生成された前記応答信号を前記受信装置へ送信し、
前記第２の通信部は、前記送信装置から送信された前記応答信号を受信し、
前記第２の選択部は、前記指示部により前記外部信号から前記放送信号への切り替えが指示された場合に、前記第２の通信部により前記応答信号が受信されてから前記放送信号が出力可能になるまでの期間、前記情報生成部により生成された情報信号を出力する、請求項２〜４のいずれかに記載の通信システム。
【請求項６】
前記情報生成部は、前記第２の通信部が受信した信号から前記所定の情報信号を抽出する、請求項２〜５のいずれかに記載の通信システム。
【請求項７】
前記情報生成部は、前記所定の情報信号を予め記憶する、請求項２〜６のいずれかに記載の通信システム。
【請求項８】
前記所定の情報信号は、静止画信号である、請求項２〜７のいずれかに記載の通信システム。
【請求項９】
前記第１の通信部および前記第２の通信部は無線通信を行う、請求項１〜８のいずれかに記載の通信システム。
【請求項１０】
放送信号を受信する送信装置と外部装置が接続可能な受信装置との間の通信方法であって、
前記送信装置において、前記放送信号を受信するステップと、
前記送信装置において、前記受信した放送信号を前記受信装置へ送信するステップと、
前記受信装置において、前記送信装置から送信された前記放送信号を受信するステップと、
前記受信装置において、前記受信された放送信号を出力するステップと、
前記受信装置において、前記外部装置からの外部信号を取得するステップと、
前記受信装置において、信号の切り替えが指示された場合に、信号の切り替えが指示されたことを示す制御信号を生成するステップと、
前記受信装置において、前記制御信号を前記送信装置へ送信するステップと、
前記送信装置において、前記受信装置により送信される前記制御信号を受信するステップと、
前記送信装置において、前記受信された前記制御信号が前記放送信号から前記外部信号への切り替えを示す場合に、前記受信された放送信号の出力を停止し、静止画信号および無音信号を出力するステップと、
前記送信装置において、前記出力される前記静止画信号および前記無音信号を前記受信装置へ送信するステップとを備えた、通信方法。
【発明の詳細な説明】
【技術分野】
【０００１】
本発明は、テレビジョン放送等の放送信号を受信する通信システムおよび通信方法に関する。
【背景技術】
【０００２】
従来より、テレビジョン放送等の放送信号を受信する受信装置とその放送信号を映像および音声として出力する映像音声出力装置とを別々に備え、無線通信により受信装置から映像音声出力装置へ放送信号を送信するシステムが知られている。
【０００３】
例えば、特許文献１記載のテレビ受信システムは、選局装置および表示装置を別々に備え、選局装置により放送信号を受信および選局し、この選局された放送信号を表示装置に無線送信している。
【特許文献１】特開２００１−３５８９６６号公報
【発明の開示】
【発明が解決しようとする課題】
【０００４】
ところで、上記特許文献１記載のテレビ受信システムにおいては、選局装置および表示装置の電源がオンである場合には、選局装置と表示装置との間で常に無線送信が行われている。そのため、例えば、ビデオデッキおよびＤＶＤ（デジタルバーサタイルディスク）プレーヤー等の外部装置を表示装置に接続し、その外部装置からの映像信号を表示装置に表示させる際にも、選局装置と表示装置との間で無線通信が行われることになる。それにより、現在表示装置に表示されている映像とは無関係の無線通信のために選局装置で電力が消費されることになる。
【０００５】
本発明の目的は、消費電力を十分に低減することができる通信システムおよび通信方法を提供することである。
【課題を解決するための手段】
【０００６】
（１）
本発明の一局面に従う通信システムは、放送信号を受信するとともに外部装置が接続可能な通信システムであって、通信システムは、送信装置と受信装置とを含み、送信装置は、放送信号を受信する受信部と、受信部により受信した放送信号を受信装置へ送信する第１の通信部と、受信装置への放送信号の送信を制御する第１の制御部と、静止画信号を生成する静止画生成部と、無音信号を生成する無音信号生成部と、受信部からの放送信号および静止画生成部からの静止画信号を選択的に第１の通信部へ出力する第１の選択部とを備え、受信装置は、送信装置から送信された放送信号を受信する第２の通信部と、外部装置からの外部信号を取得する取得部と、第２の通信部からの放送信号および取得部からの外部信号を選択的に出力する第２の選択部と、第２の選択部から出力されるべき信号の切り替えを指示する指示部と、指示部により信号の切り替えが指示されたことを示す制御信号を生成する制御信号生成部とを備え、受信装置の第２の通信部は、制御信号を送信装置へ送信し、送信装置の第１の通信部は、受信装置により送信される制御信号を受信し、送信装置の第１の制御部は、第１の通信部により受信された制御信号が放送信号から外部信号への切り替えを示す場合に、第１の選択部により静止画信号および無音信号を出力し、送信装置の第１の通信部は、第１の選択部により出力された静止画信号および無音信号を受信装置へ送信するものである。
【０００７】
この通信システムにおいては、送信装置の受信部により放送信号が受信される。また、静止画生成部により静止画信号が生成される。無音信号生成部により無音信号が生成される。受信部により受信された放送信号および静止画生成部により生成された静止画信号が第１の選択部により選択的に出力される。放送信号は、第１の通信部により受信装置へと送信される。第１の通信部により受信装置へと送信された放送信号は、受信装置の第２の通信部により受信される。受信装置には外部装置を接続することができ、外部装置からの外部信号が取得部により取得される。第２の通信部により受信される放送信号および取得部により取得される外部信号は、受信装置の第２の選択部により選択的に出力される。
受信装置の指示部により信号の切り替えが指示されると、制御信号生成部により制御信号が生成される。制御信号は、第２の通信部により送信装置へ送信される。受信装置により送信される制御信号は、送信装置の第１の通信部により受信される。受信された制御信号が放送信号から外部信号への切り替えを示す場合には、第１の選択部により静止画信号および無音信号が出力され、出力された静止画信号および無音信号が第１の通信部により受信装置へ送信される。
【０００８】
ここで、静止画信号の量および無音信号の量は放送信号の量に比べて少ない。したがって、送信装置と受信装置との間の通信量が低減される。それにより、送信装置および受信装置の消費電力を十分に低減することができる。
【００１９】
（２）
受信装置は、所定の情報信号を生成する情報生成部をさらに備え、第２の選択部は、指示部により外部信号から放送信号への切り替えが指示された場合に、情報生成部により生成された所定の情報信号を所定期間出力した後に放送信号を出力してもよい。
【００２０】
この場合、受信装置において、情報信号生成部により所定の情報信号が生成される。指示部により外部信号から放送信号への切り替えが指示された場合、第２の選択部からは、放送信号が出力される前に情報信号が所定期間出力される。
【００２１】
これにより、外部信号と放送信号との切り替わりの際に、第２の選択部から信号が何も出力されない期間が生じることを防止することができる。したがって、第２の選択部から出力される信号を表示装置に出力する場合に、表示装置に画像が何も出力されない期間が生じることを防止することができる。その結果、視聴者は、通信装置および受信装置が正常に作動していることを把握することができる。
【００２２】
（３）
所定期間は、指示部により放送信号への切り替えが指示されてから放送信号が出力可能になるまでの期間であってもよい。
【００２３】
この場合、指示部により外部信号から放送信号への切り替えが指示されてから第２の選択部により放送信号が出力可能になるまで、第２の選択部から情報信号が出力される。それにより、第２の選択部から信号が何も出力されない期間が生じることを確実に防止することができる。したがって、第２の選択部から出力される信号を表示装置に出力する場合に、表示装置に画像が何も出力されない期間が生じることを確実に防止することができる。その結果、視聴者は、通信装置および受信装置が正常に作動していることを確実に把握することができる。
【００２４】
（４）
第２の通信部は、制御信号を送信装置へ送信し、第２の選択部は、指示部により外部信号から放送信号への切り替えが指示された場合に、第２の通信部により制御信号が送信装置へ送信されてから放送信号が出力可能になるまでの期間、情報生成部により生成された情報信号を出力してもよい。
【００２５】
この場合、指示部により外部信号から放送信号への切り替えが指示された場合、制御信号生成部によりそのことを示す制御信号が生成され、その制御信号が第２の通信部により送信装置へ送信される。第２の選択部は、上記制御信号が第２の通信部により送信装置へ送信されてから放送信号が出力可能になるまで、情報信号を出力する。
【００２６】
これにより、外部信号と放送信号との切り替わりの際に、第２の選択部から信号が何も出力されない期間が生じることを確実に防止することができる。したがって、第２の選択部から出力される信号を表示装置に出力する場合に、表示装置に画像が何も出力されない期間が生じることを確実に防止することができる。その結果、視聴者は、通信装置および受信装置が正常に作動していることを確実に把握することができる。
【００２７】
（５）
送信装置は、第１の通信部による制御信号の受信に応答して応答信号を生成する応答信号生成部をさらに備え、第１の通信部は、応答信号生成部により生成された応答信号を受信装置へ送信し、第２の通信部は、送信装置から送信された応答信号を受信し、第２の選択部は、指示部により外部信号から放送信号への切り替えが指示された場合に、第２の通信部により応答信号が受信されてから放送信号が出力可能になるまでの期間、情報生成部により生成された情報信号を出力してもよい。
【００２８】
この場合、指示部により外部信号から放送信号への切り替えが指示された場合、制御信号生成部によりそのことを示す制御信号が生成され、その制御信号が第２の通信部により送信装置へ送信される。第２の通信部により送信された制御信号は、送信装置の第１の通信部により受信され、その受信に応答して応答信号生成部により応答信号が生成される。さらに、その応答信号は、第１の通信部により受信装置へ送信され、受信装置において第２の通信部により受信される。第２の選択部は、上記応答信号が第２の通信部により送信装置へ送信されてから放送信号が出力可能になるまで、情報信号を出力する。
【００２９】
これにより、外部信号と放送信号との切り替わりの際に、第２の選択部から信号が何も出力されない期間が生じることを確実に防止することができる。したがって、第２の選択部から出力される信号を表示装置に出力する場合に、表示装置に画像が何も出力されない期間が生じることを確実に防止することができる。その結果、視聴者は、通信装置および受信装置が正常に作動していることを確実に把握することができる。
【００３０】
また、受信装置から送信される制御信号に対して送信装置から応答信号が送信されているので、受信装置と送信装置との間の通信状態を表示することが可能になる。それにより、視聴者は、送信装置と受信装置との通信状態が良好となるように送信装置および受信装置を配置することができる。
【００３１】
（６）
情報生成部は、第２の通信部が受信した信号から所定の情報信号を抽出してもよい。この場合、容易に情報信号を生成することができる。また、外部から受信装置へ情報信号を入力する必要がないので、受信装置の構成を簡略化できる。
【００３２】
（７）
情報生成部は、所定の情報信号を予め記憶してもよい。この場合、情報生成部に予め情報信号が記憶されるので、第２の選択部から確実に情報信号を出力することができる。また、第２の選択部から出力される信号を表示装置に出力する場合に、使用者の所望の情報を表示装置に表示することが可能になる。
【００３３】
（８）
所定の情報信号は、静止画信号であってもよい。この場合、静止画信号の量は少ないので、第２の選択部から出力される外部信号を放送信号に切り替える際の受信装置における消費電力を低減することができる。
【００３７】
（９）
第１の通信部および第２の通信部は無線通信を行ってもよい。この場合、送信装置と受信装置とを繋ぐケーブル等の配線が不要になる。
【００３８】
（１０）
本発明の他の局面に従う通信方法は、放送信号を受信する送信装置と外部装置が接続可能な受信装置との間の通信方法であって、送信装置において、放送信号を受信するステップと、送信装置において、受信した放送信号を受信装置へ送信するステップと、受信装置において、送信装置から送信された放送信号を受信するステップと、受信装置において、受信された放送信号を出力するステップと、受信装置において、外部装置からの外部信号を取得するステップと、受信装置において、信号の切り替えが指示された場合に、信号の切り替えが指示されたことを示す制御信号を生成するステップと、受信装置において、制御信号を送信装置へ送信するステップと、送信装置において、受信装置により送信される制御信号を受信するステップと、送信装置において、受信された制御信号が放送信号から外部信号への切り替えを示す場合に、受信された放送信号の出力を停止し、静止画信号および無音信号を出力するステップと、送信装置において、出力される静止画信号および無音信号を受信装置へ送信するステップとを備えたものである。
【００３９】
この通信方法においては、送信装置において放送信号が受信されるとともに、その放送信号が受信装置へ送信される。受信装置において、送信装置から送信された放送信号が受信される。また、受信装置においては、外部装置からの外部信号が取得される。放送信号および外部信号は、受信装置において選択的に出力される。受信装置において、信号の切り替えが指示された場合に、制御信号が生成され、送信装置へ送信される。
送信装置において、受信装置により送信される制御信号が受信される。受信された制御信号が放送信号から外部信号への切り替えを示す場合には、放送信号の出力が停止され、静止画信号および無音信号が出力され、出力される静止画信号および無音信号が受信装置へ送信される。
【００４０】
ここで、静止画信号の量および無音信号の量は放送信号の量に比べて少ない。したがって、送信装置と受信装置との間の通信量が低減される。それにより、送信装置および受信装置の消費電力を十分に低減することができる。
【００５０】
この場合、送信装置において符号化された放送信号は、受信装置において復号化される。受信装置において外部信号が出力されているときは、復号化部への電力供給が停止される。それにより、受信装置の消費電力を確実に低減することができる。
【発明を実施するための最良の形態】
【００５１】
以下、本発明の実施の形態における通信システムについて図面を用いて詳細に説明する。
【００５２】
（１）  第１の実施の形態
（ａ）  通信システムの構成
図１は、本発明の第１の実施の形態に係る通信システムの構成を示すブロック図である。
【００５３】
図１に示すように、本実施の形態に係る通信システム１０００は、送信装置１００および受信装置２００により構成される。
【００５４】
送信装置１００は、選局部１０１、復調部１０２、入力切替部１０３、ＭＰＥＧエンコード部１０４、送信信号処理部１０５、無線信号送受信部１０６、受信信号処理部１０７、静止画生成部１０８、無音生成部１０９、制御部１１０および記憶部１１１を含む。
【００５５】
受信装置２００は、無線信号送受信部２０１、受信信号処理部２０２、ＭＰＥＧデコード部２０３、入力切替部２０４、映像音声出力部２０５、入力部２０６、制御部２０７、送信信号処理部２０８、記憶部２０９および外部信号入力部２１０を含む。
【００５６】
送信装置１００の選局部１０１は、アンテナ１１２から入力される複数のチャンネルに対応する複数のアナログのテレビジョン放送信号の中から、後述する制御部１１０により生成された選局信号に対応するテレビジョン放送信号を選択する。
【００５７】
復調部１０２は、選局部１０１により選択されたテレビジョン放送信号を映像信号（動画信号）および音声信号に復調する。
【００５８】
入力切替部１０３は、後述する制御部１１０により生成された入力切替信号に基づいて、復調部１０２により復調された映像信号および音声信号、または後述する静止画生成部１０８により生成された静止画信号および後述する無音生成部１０９により生成された無音信号を出力する。
【００５９】
ＭＰＥＧエンコード部１０４は、入力切替部１０３の出力信号をＭＰＥＧ（ Motion Picture Experts Group ）方式で圧縮符号化する。
【００６０】
送信信号処理部１０５は、ＭＰＥＧエンコード部１０４により符号化された信号および後述する制御部１１０により生成された応答信号を予め決められた通信プロトコル（例えば、ＩＥＥＥ８０２．１１ａ）に準拠した信号にそれぞれ変換するとともに所定の変調処理および増幅処理等を施すことにより送信信号を生成する。
【００６１】
無線信号送受信部１０６は、送信信号処理部１０５により生成された送信信号を無線信号として受信装置２００の無線信号送受信部２０１へ送信するとともに、後述する無線信号送受信部２０１から受信した無線信号を受信信号として受信信号処理部１０７に与える。
【００６２】
受信信号処理部１０７は、無線信号送受信部１０６から与えられた受信信号に所定の復調処理等を施し後述する制御信号を抽出する。
【００６３】
静止画生成部１０８は、後述する記憶部１１１に記憶された静止画情報から静止画信号を生成する。なお、静止画信号は復調部１０２により復調された映像信号から生成してもよい。
【００６４】
無音生成部１０９は、後述する記憶部１１１に記憶された無音情報から無音信号を生成する。なお、無音信号は復調部１０２により復調された音声信号から生成してもよい。
【００６５】
制御部１１０は、受信信号処理部１０７により抽出された制御信号に基づいて応答信号、入力切替信号および選局信号を生成する。なお、応答信号については後述する。
【００６６】
記憶部１１１は、送信装置１００の内部状態（各構成部の電源の供給状態等）、受信装置２００に関する情報（機種識別コード、各構成部の電源の供給状態等）、静止画情報および無音情報等を記憶する。
【００６７】
受信装置２００の無線信号送受信部２０１は、後述する送信信号処理部２０８により生成された送信信号を無線信号として送信装置１００の無線信号送受信部１０６へ送信するとともに、無線信号送受信部１０６から受信した無線信号を受信信号として受信信号処理部２０２に与える。
【００６８】
受信信号処理部２０２は、無線信号送受信部２０１から与えられた受信信号に所定の復調処理等を施すことにより符号化された映像信号および音声信号を分離するかまたは符号化された静止画信号および無音信号を分離し、さらに応答信号を抽出する。
【００６９】
ＭＰＥＧデコード部２０３は、受信信号処理部２０２により分離された、符号化された映像信号および音声信号または符号化された静止画信号および無音信号を伸張復号化する。
【００７０】
入力切替部２０４は、後述する制御部２０７により生成された入力切替信号に基づいて、ＭＰＥＧデコード部２０３により復号化された映像信号および音声信号または後述する外部信号入力部２１０から与えられた映像信号および音声信号（以下、外部入力信号と称する）を映像音声出力部２０５に与える。
【００７１】
映像音声出力部２０５は、液晶ディスプレイパネルまたはプラズマディスプレイパネル等の表示装置およびスピーカ等の音声出力装置を含み、入力切替部２０４から与えられた映像信号または静止画信号を映像として表示するとともに、入力切替部２０４から与えられた音声信号または無音信号を音声として出力する。
【００７２】
入力部２０６は、リモコン等の入力装置（図示せず）から与えられる入力切替情報および選局情報を制御部２０７に与える。なお、入力切替情報とは、ＭＰＥＧデコード部２０３の出力信号および外部入力信号のうちどちらを映像音声出力部２０５に与えるかを指定する情報であり、選局情報とはアンテナ１１２から入力される複数のチャンネルのテレビジョン放送信号のうちどのチャンネルのテレビジョン放送信号を選択するかを指定する情報である。
【００７３】
外部信号入力部２１０は、ビデオデッキおよびＤＶＤプレーヤー等の外部機器（図示せず）により生成される映像信号および音声信号を入力切替部２０４に与える。
【００７４】
例えば、使用者がＤＶＤを視聴しようとする場合には、使用者はリモコンを操作して、映像音声出力部２０５に与えられる信号を外部入力信号に切り替えるための入力切替情報を制御部２０７に与える。また、例えば、使用者がテレビジョン放送信号のチャンネルを変更しようとする場合には、使用者はリモコンを操作して、所望のチャンネルのテレビジョン放送信号を選択するための選局情報を制御部２０７に与える。
【００７５】
制御部２０７は、入力部２０６から与えられる入力切替情報または選局情報、ならびに後述する記憶部２０９に記憶された送信装置１００に関する情報に基づいて制御信号を生成する。また、制御部２０７は、上記入力切替情報に基づいて入力切替信号を生成する。なお、制御信号については後述する。
【００７６】
送信信号処理部２０８は、制御部２０７により生成された制御信号を予め決められた通信プロトコル（例えば、ＩＥＥＥ８０２．１１ａ）に準拠した信号に変換するとともに所定の変調処理および増幅処理等を施すことにより送信信号を生成する。
【００７７】
記憶部２０９は、受信装置２００の内部状態（各構成部の電源の供給状態）および送信装置１００に関する情報（機種識別コード、各構成部の電源の供給状態等）等を記憶する。
【００７８】
（ｂ）  制御信号および応答信号の構成
ここで、上述した制御信号および応答信号について図面を用いて簡単に説明する。図２Ａは、制御信号のフィールド構成を示す図であり、図２Ｂは応答信号のフィールド構成を示す図である。
【００７９】
図２Ａに示すように、制御信号は、フィールドＦ１〜Ｆ５を有する。
【００８０】
フィールドＦ１〜Ｆ５には、「種別」、「識別番号」、「宛先アドレス」、「送信元アドレス」および「制御情報」がそれぞれ格納される。
【００８１】
種別は、信号の種別（制御信号）を示す。識別番号は、個々の信号を識別するための固有の番号である。宛先アドレスは、制御信号の送付先すなわち送信装置１００のアドレス番号を示す。なお、本実施の形態においては、送信装置１００および受信装置２００にアドレス番号が予め設定されている。送信元アドレスは、制御信号の送付元すなわち受信装置２００のアドレス番号を示す。制御情報は、入力切替情報または選局情報を示す。
【００８２】
図２Ｂに示すように、応答信号は、フィールドＦ６〜Ｆ９を有する。
【００８３】
フィールドＦ６〜Ｆ９には、「種別」、「識別番号」、「宛先アドレス」および「送信元アドレス」がそれぞれ格納される。
【００８４】
種別は、信号の種別（応答信号）を示す。識別番号は、個々の信号を識別するための固有の番号である。応答信号の識別番号としては、制御信号の識別番号がコピーされて用いられる。宛先アドレスは、応答信号の送付先すなわち受信装置２００のアドレス番号を示す。応答信号の宛先アドレスとしては、制御信号の送信元アドレスがコピーされて用いられる。送信元アドレスは、応答信号の送付元すなわち送信装置１００のアドレス番号を示す。応答信号の送信元アドレスとしては、制御信号の宛先アドレスがコピーされて用いられる。
【００８５】
（ｃ）  入力切替処理
次に、本実施の形態に係る通信システム１０００における入力切替処理について図面を用いて説明する。図３および図４は、受信装置２００における入力切替処理を示すフローチャートであり、図５および図６は、送信装置１００における入力切替処理を示すフローチャートである。なお、入力切替処理の開始時点においては、テレビジョン放送信号に基づく映像信号および音声信号が映像音声出力部２０５に与えられているものとする。
【００８６】
（ｃ−１）  受信装置の動作
まず、受信装置２００における入力切替処理について説明する。
【００８７】
図３に示すように、制御部２０７（図１参照）は、映像音声出力部２０５に外部入力信号を与えるための入力切替情報（以下、外部入力切替情報と称する）が、入力部２０６から与えられたか否かを判別する（ステップＳ１）。外部入力切替情報が与えられた場合、制御部２０７は外部入力切替情報が格納された制御信号を生成する（ステップＳ２）。
【００８８】
次に、送信信号処理部２０８が、制御部２０７により生成された制御信号に基づいて送信信号を生成し、無線信号送受信部２０１が、その送信信号を無線信号として送信装置１００の無線信号送受信部１０６へ送信する（ステップＳ３）。
【００８９】
次に、制御部２０７は、ステップＳ２において生成した制御信号に対応する応答信号が受信信号処理部２０２により抽出されたか否かを判別する（ステップＳ４）。応答信号が抽出されていない場合、制御部２０７は応答信号が抽出されるまで待機する。
【００９０】
ステップＳ４において、応答信号が抽出された場合、制御部２０７は入力切替信号を生成する（ステップＳ５）。
【００９１】
次に、入力切替部２０４は、ステップＳ５において生成された入力切替信号に基づいて、外部入力信号を映像音声出力部２０５に与える（ステップＳ６）。
【００９２】
次に、ＭＰＥＧデコード部２０３は、送信装置１００から送信された静止画信号および無音信号を復号化する（ステップＳ７）。
【００９３】
その後、他の処理を経てステップＳ１の処理に戻る。
【００９４】
ステップＳ１において、外部入力切替情報が与えられていない場合、制御部２０７は、図４に示すように、選局情報が与えられたか否かを判別する（ステップＳ８）。選局情報が与えられた場合、制御部２０７は選局情報が格納された制御信号を生成する（ステップＳ９）。
【００９５】
次に、送信信号処理部２０８が、ステップＳ９において生成された制御信号に基づいて送信信号を生成し、無線信号送受信部２０１が、その送信信号を無線信号として送信装置１００の無線信号送受信部１０６へ送信する（ステップＳ１０）。これにより、送信装置１００において選局が指令される。
【００９６】
その後、図３に示すように他の処理を経てステップＳ１の処理に戻る。
【００９７】
ステップＳ８（図４参照）において選局情報が与えられていない場合、制御部２０７は、図３に示すように他の処理を経てステップＳ１の処理に戻る。
【００９８】
（ｃ−２）  送信装置の動作
次に、送信装置１００における入力切替処理について説明する。
【００９９】
図５に示すように、制御部１１０（図１参照）は、受信信号処理部１０７から、外部入力切替情報が格納された制御信号が与えられたか否かを判別する（ステップＳ１１）。外部入力切替情報が格納された制御信号が与えられた場合、制御部１１０はその制御信号に対応する応答信号を生成する（ステップＳ１２）。
【０１００】
次に、送信信号処理部１０５が、制御部１１０により生成された応答信号に基づいて送信信号を生成し、無線信号送受信部１０６が、その送信信号を無線信号として受信装置２００の無線信号送受信部２０１へ送信する（ステップＳ１３）。
【０１０１】
次に、制御部１１０が入力切替信号を生成し、その入力切替信号に基づいて入力切替部１０３が静止画生成部１０８および無音生成部１０９により生成された静止画信号および無音信号を出力する（ステップＳ１４）。
【０１０２】
次に、制御部１１０が、ステップＳ１４において出力された静止画信号および無音信号をＭＰＥＧエンコード部１０４、送信信号処理部１０５および無線信号送受信部１０６を介して受信装置２００へ送信する（ステップＳ１５）。
【０１０３】
その後、他の処理を経てステップＳ１１の処理に戻る。
【０１０４】
ステップＳ１１において、外部入力切替情報が格納された制御信号が与えられていない場合、制御部１１０は、図６に示すように、選局情報が格納された制御信号が与えられたか否かを判別する（ステップＳ１６）。選局情報が格納された制御信号が与えられた場合、制御部１１０は、選局信号を生成する（ステップＳ１７）。
【０１０５】
次に、選局部１０１は、ステップＳ１７において生成された選局信号に対応するチャンネルのテレビジョン放送信号を選択する（ステップＳ１８）。これにより、使用者の所望のチャンネルのテレビジョン放送信号に基づく映像信号および音声信号が受信装置２００の映像音声出力部２０５（図１参照）に与えられる。
【０１０６】
ステップＳ１６（図６参照）において選局情報が格納された制御信号が与えられていない場合、制御部１１０は、図５に示すようにステップＳ１１の処理に戻る。
【０１０７】
（ｄ）  効果
以上のように、本実施の形態に係る通信システム１０００においては、映像音声出力部２０５に外部入力信号が与えられている場合には、静止画信号および無音信号が送信装置１００から受信装置２００へ送信される。この場合、送信装置１００と受信装置２００との間のデータ通信量が大幅に低減されるので、消費電力を十分に低減することができる。
【０１０８】
また、受信装置２００から送信される制御信号に対して、送信装置１００から応答信号が送信されている。この場合、受信装置２００の制御部２０７は、送信装置１００と受信装置２００との間の通信状態を確実に把握できるとともに、その状態を表示装置等に表示することが可能になる。それにより、使用者は、送信装置１００と受信装置２００との通信状態が良好となるように送信装置１００および受信装置２００を配置することができる。
【０１０９】
なお、上記実施の形態においては、図３に示すように、制御部２０７に応答信号が与えられた後に、ステップＳ５およびステップＳ６の処理を行っているが、ステップＳ５およびステップＳ６の処理を行った後に、ステップＳ４の処理を行ってもよい。
【０１１０】
また、ステップＳ４の処理を設けなくてもよい。すなわち、ステップＳ４において応答信号が抽出されていなくても、ステップＳ５〜ステップＳ７の処理を行ってもよい。
【０１１１】
（２）  第２の実施の形態
（ａ）  通信システムの構成
図７は、本発明の第２の実施の形態に係る通信システムの構成を示すブロック図である。本実施の形態に係る通信システムが図１の通信システム１０００と異なるのは以下の点である。
【０１１２】
図７に示すように、本実施の形態に係る通信システム２０００は、送信装置３００および受信装置４００により構成される。
【０１１３】
送信装置３００は、選局部１０１、復調部１０２、ＭＰＥＧエンコード部１０４、送信信号処理部１０５、無線信号送受信部１０６、受信信号処理部１０７、制御部１１０、記憶部１１１および電源制御部３０１を含む。
【０１１４】
受信装置４００は、無線信号送受信部２０１、受信信号処理部２０２、ＭＰＥＧデコード部２０３、入力切替部２０４、映像音声出力部２０５、入力部２０６、制御部２０７、送信信号処理部２０８、記憶部２０９、外部信号入力部２１０および電源制御部４０１を含む。
【０１１５】
本実施の形態においては、送信装置３００のＭＰＥＧエンコード部１０４は、復調部１０２により復調された映像信号および音声信号をＭＰＥＧ方式で圧縮符号化する。
【０１１６】
制御部１１０は、受信信号処理部１０７により抽出された制御信号に基づいて応答信号、電源制御信号および選局信号を生成する。
【０１１７】
電源制御部３０１は、制御部１１０により生成された電源制御信号に基づいて、選局部１０１、復調部１０２およびＭＰＥＧエンコード部１０４の電源制御を行う。
【０１１８】
受信装置４００の制御部２０７は、入力部２０６から与えられる入力切替情報または選局情報、ならびに記憶部２０９に記憶された送信装置３００に関する情報に基づいて制御信号を生成する。また、制御部２０７は、上記入力切替情報に基づいて入力切替信号および電源制御信号を生成する。
【０１１９】
電源制御部４０１は、制御部２０７により生成された電源制御信号に基づいて、ＭＰＥＧデコード部２０３の電源制御を行う。
【０１２０】
なお、本実施の形態においては、図２Ａで示した制御信号のフィールドＦ５には、制御情報として選局情報または電源制御情報が格納される。
【０１２１】
（ｂ）  入力切替処理
次に、本実施の形態に係る通信システム２０００における入力切替処理について図面を用いて説明する。図８は、受信装置４００における入力切替処理を示すフローチャートであり、図９は、送信装置３００における入力切替処理を示すフローチャートである。なお、入力切替処理の開始時点においては、テレビジョン放送信号に基づく映像信号および音声信号がＭＰＥＧエンコード部２０５から出力されているものとする。
【０１２２】
（ｂ−１）  受信装置の動作
まず、受信装置４００における入力切替処理について説明する。
【０１２３】
図８に示すように、制御部２０７（図７参照）は、入力部２０６から外部入力切替情報が与えられたか否かを判別する（ステップＳ２１）。外部入力切替情報が与えられた場合、制御部２０７は電源制御情報が格納された制御信号を生成する（ステップＳ２２）。
【０１２４】
次に、送信信号処理部２０８が、制御部２０７により生成された制御信号に基づいて送信信号を生成し、無線信号送受信部２０１が、その送信信号を無線信号として送信装置３００の無線信号送受信部１０６へ送信する（ステップＳ２３）。
【０１２５】
次に、制御部２０７は、ステップＳ２において生成した制御信号に対応する応答信号が受信信号処理部２０２により抽出されたか否かを判別する（ステップＳ２４）。応答信号が抽出されていない場合、制御部２０７は応答信号が抽出されるまで待機する。
【０１２６】
ステップＳ２４において、応答信号が抽出された場合、制御部２０７は入力切替信号を生成する（ステップＳ２５）。
【０１２７】
次に、入力切替部２０４は、ステップＳ２５において生成された入力切替情報に基づいて、外部入力信号を映像音声出力部２０５に与える（ステップＳ２６）。
【０１２８】
次に、制御部２０７が電源制御信号を生成し、その電源制御信号に基づいて電源制御部４０１がＭＰＥＧデコード部２０３の電源を遮断する（ステップＳ２７）。
【０１２９】
その後、他の処理を経てステップＳ２１の処理に戻る。
【０１３０】
ステップＳ２１において、外部入力切替情報が入力されていない場合には、図４で説明したステップＳ８〜ステップＳ１０の処理が行われる。その後、図８に示すように、他の処理を経て、ステップＳ２１の処理に戻る。
【０１３１】
（ｂ−２）  送信装置の動作
次に、送信装置３００における入力切替処理について説明する。
【０１３２】
図９に示すように、制御部１１０（図７参照）は、受信信号処理部１０７から、電源制御信号が格納された制御信号が与えられたか否かを判別する（ステップＳ３１）。電源制御信号が格納された制御信号が与えられた場合、制御部１１０はその制御信号に対応する応答信号を生成する（ステップＳ３２）。
【０１３３】
次に、送信信号処理部１０５が、制御部１１０により生成された応答信号に基づいて送信信号を生成し、無線信号送受信部１０６が、その送信信号を無線信号として受信装置４００の無線信号送受信部２０１へ送信する（ステップＳ３３）。
【０１３４】
次に、制御部１１０が電源制御信号を生成し、その電源制御信号に基づいて電源制御部３０１が選局部１０１、復調部１０２およびＭＰＥＧエンコード部１０４の電源を遮断する（ステップＳ３４）。
【０１３５】
その後、他の処理を経てステップＳ３１の処理に戻る。
【０１３６】
ステップＳ３１において、電源制御情報が格納された制御信号が与えられていない場合には、図６で説明したステップＳ１６〜ステップＳ１８の処理が行われる。その後、図９に示すように、他の処理を経て、ステップＳ３１の処理に戻る。
【０１３７】
（ｃ）  効果
以上のように、本実施の形態に係る通信システム２０００においては、映像音声出力部２０５に外部入力信号が与えられている場合には、送信装置３００の選局部１０１、復調部１０２およびＭＰＥＧエンコード部１０４ならびに受信装置４００のＭＰＥＧデコード部２０３の電源が遮断される。それにより、送信装置３００および受信装置４００の消費電力を十分に低減することができる。
【０１３８】
また、送信装置３００と受信装置４００との間でデータ通信が行われないので、送信装置３００および受信装置４００の消費電力をさらに低減することができる。
【０１３９】
また、受信装置４００から送信される制御信号に対して、送信装置３００から応答信号が送信されている。この場合、受信装置４００の制御部２０７は、送信装置３００と受信装置４００との間の通信状態を確実に把握できるとともに、その状態を表示装置等に表示することが可能になる。それにより、使用者は、送信装置３００と受信装置４００との通信状態が良好となるように送信装置３００および受信装置４００を配置することができる。
【０１４０】
なお、上記実施の形態においては、図８に示すように、制御部２０７に応答信号が与えられた後に、ステップＳ２５およびステップＳ２６の処理を行っているが、ステップＳ２５およびステップＳ２６の処理を行った後に、ステップＳ２４の処理を行ってもよい。
【０１４１】
また、ステップＳ２４の処理を設けなくてもよい。すなわち、ステップＳ２４において応答信号が抽出されていなくても、ステップＳ２５〜ステップＳ２７の処理を行ってもよい。
【０１４２】
（３）  第３の実施の形態
（ａ）  通信システムの構成
図１０は、本発明の第３の実施の形態に係る通信システムの構成を示すブロック図である。本実施の形態に係る通信システムが図１の通信システム１０００と異なるのは以下の点である。
【０１４３】
図１０に示すように、本実施の形態に係る通信システム３０００は、送信装置１００および受信装置５００により構成される。
【０１４４】
受信装置５００は、無線信号送受信部２０１、受信信号処理部２０２、ＭＰＥＧデコード部２０３、入力切替部２０４、映像音声出力部２０５、入力部２０６、制御部２０７、送信信号処理部２０８、記憶部２０９、外部信号入力部２１０および静止画抽出部５０１を含む。
【０１４５】
本実施の形態においては、受信装置５００の制御部２０７は、入力部２０６から与えられる入力切替情報または選局情報、ならびに記憶部２０９に記憶された送信装置１００に関する情報に基づいて制御信号を生成する。また、制御部２０７は、上記入力切替情報に基づいて入力切替信号、静止画抽出信号および静止画送出信号を生成する。
【０１４６】
静止画抽出部５０１は、制御部２０７により生成された静止画抽出信号に基づいて、ＭＰＥＧデコード部２０３から静止画信号を抽出し、その静止画信号を記憶する。また、静止画抽出部５０１は、制御部２０７により生成された静止画送出信号に基づいて、上記記憶された静止画信号を入力切替部２０４に与える。
【０１４７】
入力切替部２０４は、制御部２０７により生成された入力切替信号に基づいて、ＭＰＥＧデコード部２０３により復号化された映像信号および音声信号、外部信号入力部２１０から与えられた映像信号および音声信号（外部入力信号）、または静止画抽出部５０１から与えられた静止画信号を映像音声出力部２０５に与える。
【０１４８】
（ｂ）  入力切替処理
次に、本実施の形態に係る通信システム３０００における入力切替処理について図面を用いて説明する。図１１および図１２は、受信装置５００における入力切替処理を示すフローチャートであり、図１３は、送信装置１００における入力切替処理を示すフローチャートである。
【０１４９】
（ｂ−１）  受信装置の動作
まず、受信装置５００における入力切替処理について説明する。
【０１５０】
図１１に示すように、受信装置５００においては、まず、図３で説明したステップＳ１〜ステップＳ７と同様の処理が行われる。次いで、制御部２０７が静止画抽出信号を生成し、その静止画抽出信号に基づいて静止画抽出部５０１がＭＰＥＧデコード部２０３から静止画信号を抽出し、その静止画信号を記憶する（ステップＳ４１）。
【０１５１】
次に、図１２に示すように、制御部２０７は、映像音声出力部２０５にＭＰＥＧデコード部２０３の出力信号を与えるための入力切替情報（以下、放送入力切替情報と称する）が、入力部２０６から与えられたか否かを判別する（ステップＳ４２）。放送入力切替情報が与えられた場合、制御部２０７は放送入力切替情報が格納された制御信号を生成する（ステップＳ４３）。
【０１５２】
次に、送信信号処理部２０８が、制御部２０７により生成された制御信号に基づいて送信信号を生成し、無線信号送受信部２０１が、その送信信号を無線信号として送信装置１００の無線信号送受信部１０６へ送信する（ステップＳ４４）。
【０１５３】
次に、制御部２０７は、ステップＳ４３において生成した制御信号に対応する応答信号が受信信号処理部２０２により抽出されたか否かを判別する（ステップＳ４５）。応答信号が抽出されていない場合、制御部２０７は応答信号が抽出されるまで待機する。
【０１５４】
ステップＳ４５において、応答信号が抽出された場合、制御部２０７は、ＭＰＥＧデコード部２０３において映像信号および音声信号が復号化されているか否かを判別する（ステップＳ４６）。映像信号および音声信号が復号化されていない場合、制御部２０７は静止画送出信号および入力切替信号を生成する（ステップＳ４７）。なお、ステップＳ４７においては、映像音声出力部２０５に静止画抽出部５０１の静止画信号を与えるための入力切替信号が生成される。
【０１５５】
次に、ステップＳ４７において生成された静止画送出信号および入力切替信号に基づいて、静止画抽出部５０１が静止画信号を入力切替部２０４に与えるとともに入力切替部２０４がその静止画信号を映像音声出力部２０５に与える（ステップＳ４８）。その後、ステップＳ４６の処理に戻る。
【０１５６】
ステップＳ４６において、ＭＰＥＧデコード部２０３において映像信号および音声信号が復号化されている場合、制御部２０７は入力切替信号を生成する（ステップＳ４９）。なお、ステップＳ４９においては、映像音声出力部２０５にＭＰＥＧデコード部２０３により復号化された映像信号および音声信号を与えるための入力切替信号が生成される。
【０１５７】
次に、ステップＳ４９において生成された入力切替信号に基づいて、入力切替部２０４がＭＰＥＧデコード部２０３により復号化された映像信号および音声信号を映像音声出力部２０５に与える（ステップＳ５０）。その後、他の処理を経て、図１１のステップＳ１の処理に戻る。
【０１５８】
図１１のステップＳ１において、外部入力切替情報が与えられていない場合には、図４で説明したステップＳ８〜ステップＳ１０の処理が行われる。その後、図１２に示すように他の処理を経て、図１１のステップＳ１の処理に戻る。
【０１５９】
（ｂ−２）  送信装置の動作
次に、送信装置１００における入力切替処理について説明する。
【０１６０】
図１３に示すように、送信装置１００においては、まず、図５で説明したステップＳ１１〜ステップＳ１５と同様の処理が行われる。
【０１６１】
次に、制御部１１０は、受信信号処理部１０７から、放送入力切替情報が格納された制御信号が与えられたか否かを判別する（ステップＳ６１）。放送入力切替情報が格納された制御信号が与えられた場合、制御部１１０はその制御信号に対応する応答信号を生成する（ステップＳ６２）。
【０１６２】
次に、送信信号処理部１０５が、ステップＳ６２において生成された応答信号に基づいて送信信号を生成し、無線信号送受信部１０６が、その送信信号を無線信号として受信装置２００の無線信号送受信部２０１へ送信する（ステップＳ６３）。
【０１６３】
次に、制御部１１０は、入力切替信号を生成し、その入力切替信号に基づいて入力切替部１０３が復調部１０２により復調された映像信号および音声信号を出力する（ステップＳ６４）。
【０１６４】
次に、制御部１１０が、ステップＳ６４において出力された映像信号および音声信号をＭＰＥＧエンコード部１０４、送信信号処理部１０５および無線信号送受信部１０６を介して受信装置５００へ送信する（ステップＳ６５）。
【０１６５】
その後、他の処理を経て図１３のステップＳ１１の処理に戻る。
【０１６６】
ステップＳ１１において、外部入力切替情報が格納された制御信号が与えられていない場合には、図６で説明したステップＳ１６〜ステップＳ１８の処理が行われる。その後、図１３に示すように他の処理を経て、ステップＳ１１の処理に戻る。
【０１６７】
（ｃ）  効果
以上のように、本実施の形態に係る通信システム３０００においては、図１の通信システム１０００と同様に、映像音声出力部２０５に外部入力信号が与えられている場合には、静止画信号および無音信号が送信装置１００から受信装置５００へ送信される。それにより、送信装置１００と受信装置５００との間のデータ通信量が大幅に低減されるので、消費電力を十分に低減することができる。
【０１６８】
また、受信装置５００に静止画抽出部５０１が設けられている。ここで、本実施の形態においては、映像音声出力部２０５に与えられる外部入力信号をテレビジョン放送信号に基づく映像信号および音声信号に切り替える際には、送信装置１００において、入力切替部１０３の出力信号が、静止画信号および無音信号から映像信号および音声信号に切り替えられる。このとき、映像信号は静止画信号に比べてデータ量が多く、データ圧縮に要する時間が長くなる。そのため、入力切替部１０３の出力信号が映像信号に切り替えられた後、その映像信号が受信装置５００の入力切替部２０４に与えられるまでには所定の時間が必要になる。
【０１６９】
それにより、受信装置５００の入力切替部２０４において、映像音声出力部２０５に与えられる外部入力信号がＭＰＥＧデコード部２０３の出力信号へ直接切り替えられると、映像音声出力部２０５に映像信号が与えられない期間が生じてしまう。この場合、映像音声出力部２０５に画像が何も表示されないので、視聴者は通信システム３０００が正常に作動しているかどうか一瞬不安になる。
【０１７０】
そこで、本実施の形態においては、映像音声出力部２０５に与えられる外部入力信号がテレビジョン放送信号に基づく映像信号および音声信号に切り替えられるときに、ＭＰＥＧデコード部２０３において映像信号および映像信号が復号化されていない場合には、静止画抽出部５０１の静止画信号が映像音声出力部２０５に与えられる。それにより、映像音声出力部２０５に静止画像を表示することができるので、映像音声出力部２０５に画像が何も表示されない期間が生じることを防止することができる。その結果、視聴者は通信システム３０００が正常に作動していることを把握することができる。
【０１７１】
なお、上記実施の形態においては、図１２に示すように、制御部２０７に応答信号が与えられた後に、ステップＳ４６〜ステップＳ５０の処理を行っているが、ステップＳ４５の処理は設けなくてもよい。すなわち、ステップＳ４５において制御部２０７に応答信号が与えられていなくても、ステップＳ４６〜ステップＳ５０の処理を行ってもよい。
【０１７２】
（４）  第４の実施の形態
（ａ）  通信システムの構成
図１４は、本発明の第４の実施の形態に係る通信システムの構成を示すブロック図である。本実施の形態に係る通信システムが図７の通信システム２０００と異なるのは以下の点である。
【０１７３】
図１４に示すように、本実施の形態に係る通信システム４０００は、送信装置３００および受信装置６００により構成される。
【０１７４】
受信装置６００は、無線信号送受信部２０１、受信信号処理部２０２、ＭＰＥＧデコード部２０３、入力切替部２０４、映像音声出力部２０５、入力部２０６、制御部２０７、送信信号処理部２０８、記憶部２０９、外部信号入力部２１０、電源制御部４０１および情報記憶部６０１を含む。
【０１７５】
本実施の形態においては、受信装置６００の制御部２０７は、入力部２０６から与えられる入力切替情報または選局情報、ならびに記憶部２０９に記憶された送信装置３００に関する情報に基づいて制御信号を生成する。また、制御部２０７は、上記入力切替情報に基づいて入力切替信号および情報送出信号を生成する。
【０１７６】
情報記憶部６０１は、所定の情報を記憶し、制御部２０７により生成された情報送出信号に基づいて、記憶された所定の情報を情報信号として入力切替部２０４に与える。情報記憶部６０１には、例えば、使用者の家族の写真を記憶させてもよく、テレビジョン放送信号の番組情報等を記憶させてもよく、入力切替処理中であることを表示するための文字情報を記憶させてもよい。
【０１７７】
入力切替部２０４は、制御部２０７により生成された入力切替情報に基づいて、ＭＰＥＧデコード部２０３により復号化された映像信号および音声信号、外部信号入力部２１０から与えられた映像信号および音声信号（外部入力信号）、または情報記憶部６０１から与えられた情報信号を映像音声出力部２０５に与える。
【０１７８】
（ｂ）  入力切替処理
次に、本実施の形態に係る通信システム４０００における入力切替処理について図面を用いて説明する。図１５および図１６は、受信装置６００における入力切替処理を示すフローチャートであり、図１７は、送信装置３００における入力切替処理を示すフローチャートである。
【０１７９】
（ｂ−１）  受信装置の動作
まず、受信装置６００における入力切替処理について説明する。
【０１８０】
図１５に示すように、受信装置６００においては、まず、図８で説明したステップＳ２１〜ステップＳ２７と同様の処理が行われる。
【０１８１】
次に、図１６に示すように、制御部２０７は、入力部２０６から放送入力切替情報が与えられたか否かを判別する（ステップＳ７１）。放送入力切替情報が与えられた場合、制御部２０７は放送入力切替情報が格納された制御信号を生成する（ステップＳ７２）。
【０１８２】
次に、送信信号処理部２０８が、制御部２０７により生成された制御信号に基づいて送信信号を生成し、無線信号送受信部２０１が、その送信信号を無線信号として送信装置３００の無線信号送受信部１０６へ送信する（ステップＳ７３）。
【０１８３】
次に、制御部２０７は、ステップＳ７２において生成した制御信号に対応する応答信号が受信信号処理部２０２により抽出されたか否かを判別する（ステップＳ７４）。応答信号が抽出されていない場合、制御部２０７は応答信号が抽出されるまで待機する。
【０１８４】
ステップＳ７４において応答信号が抽出された場合、制御部２０７は電源制御信号を生成し、その電源制御信号に基づいて、電源制御部４０１がＭＰＥＧデコード部２０３への電源供給を開始する（ステップＳ７５）。
【０１８５】
次に、制御部２０７は、ＭＰＥＧデコード部２０３への電源供給が完了したか否かを判別する（ステップＳ７６）。電源供給が完了していない場合、制御部２０７は情報送出信号および入力切替信号を生成する（ステップＳ７７）。なお、ステップＳ７７においては、映像音声出力部２０５に情報記憶部６０１の情報信号を与えるための入力切替信号が生成される。
【０１８６】
次に、ステップＳ７７において生成された情報送出信号および入力切替信号に基づいて、情報記憶部６０１が情報信号を入力切替部２０４に与えるとともに入力切替部２０４がその情報信号を映像音声出力部２０５に与える（ステップＳ７８）。その後、ステップＳ７６の処理に戻る。
【０１８７】
ステップＳ７６においてＭＰＥＧデコード部２０３への電源供給が完了している場合、制御部２０７は、ＭＰＥＧデコード部２０３において映像信号および音声信号が復号化されているか否かを判別する（ステップＳ７９）。映像信号および音声信号が復号化されていない場合、ステップＳ７７の処理に進む。
【０１８８】
ステップＳ７９において、ＭＰＥＧデコード部２０３において映像信号および音声信号が復号化されている場合、制御部２０７は入力切替信号を生成する（ステップＳ８０）。なお、ステップＳ８０においては、映像音声出力部２０５にＭＰＥＧデコード部２０３により復号化された映像信号および音声信号を与えるための入力切替信号が生成される。
【０１８９】
次に、ステップＳ８０において生成された入力切替信号に基づいて、入力切替部２０４がＭＰＥＧデコード部２０３により復号化された映像信号および音声信号を映像音声出力部２０５に与える（ステップＳ８１）。その後、他の処理を経て、図１５のステップＳ２１の処理に戻る。
【０１９０】
図１５のステップＳ２１において、外部入力情報が与えられていない場合には、図４で説明したステップＳ８〜ステップＳ１０の処理が行われる。その後、図１６に示すように他の処理を経て、図１５のステップＳ２１の処理に戻る。
【０１９１】
（ｂ−２）  送信装置の動作
次に、送信装置３００における入力切替処理について説明する。
【０１９２】
図１７に示すように、送信装置３００においては、まず、図９で説明したステップＳ３１〜ステップＳ３４と同様の処理が行われる。
【０１９３】
次に、制御部１１０は、受信信号処理部１０７から、放送入力切替情報が格納された制御信号が与えられたか否かを判別する（ステップＳ９１）。放送入力切替情報が格納された制御信号が与えられた場合、制御部１１０はその制御信号に対応する応答信号を生成する（ステップＳ９２）。
【０１９４】
次に、送信信号処理部１０５が、ステップＳ９２において生成された応答信号に基づいて送信信号を生成し、無線信号送受信部１０６が、その送信信号を無線信号として受信装置２００の無線信号送受信部２０１へ送信する（ステップＳ９３）。
【０１９５】
次に、制御部１１０は、電源制御信号を生成し、その電源制御信号に基づいて電源制御部３０１が選局部１０１、復調部１０２およびＭＰＥＧエンコード部１０４へ電源を供給する（ステップＳ９４）。その後、他の処理を経てステップＳ３１の処理に戻る。
【０１９６】
ステップＳ３１において、電源制御情報が格納された制御信号が与えられていない場合には、図６で説明したステップＳ１６〜ステップＳ１８の処理が行われる。その後、図１７に示すように他の処理を経て、ステップＳ３１の処理に戻る。
【０１９７】
（ｃ）  効果
以上のように、本実施の形態に係る通信システム４０００においては、図７の通信システム２０００と同様に、映像音声出力部２０５に外部入力信号が与えられている場合には、送信装置３００の選局部１０１、復調部１０２およびＭＰＥＧエンコード部１０４ならびに受信装置６００のＭＰＥＧデコード部２０３の電源が遮断される。それにより、送信装置３００および受信装置６００の消費電力を十分に低減することができる。
【０１９８】
また、送信装置３００と受信装置６００との間でデータ通信が行われないので、送信装置３００および受信装置４００の消費電力をさらに低減することができる。
【０１９９】
また、受信装置６００に情報記憶部６０１が設けられている。ここで、本実施の形態においては、映像音声出力部２０５に与えられる外部入力信号をテレビジョン放送信号に基づく映像信号および音声信号に切り替える際には、ＭＰＥＧデコード部２０３への電源の供給が再開される。このとき、ＭＰＥＧデコード部２０３への電源供給が完了するまでには所定の時間を要する。
【０２００】
そのため、受信装置６００の入力切替部２０４において、映像音声出力部２０５に与えられる外部入力信号がＭＰＥＧデコード部２０３の出力信号へ直接切り替えられると、ＭＰＥＧデコード部２０３への電源供給のための時間が十分に確保されず、ＭＰＥＧデコード部２０３が映像信号および音声信号を復号化できない場合がある。それにより、映像音声出力部２０５に映像信号および音声信号が与えられない期間が生じてしまう。この場合、映像音声出力部２０５に画像が何も表示されないので、視聴者は通信システム４０００が正常に作動しているかどうか一瞬不安になる。それにより、視聴者に不快感を与えることになる。
【０２０１】
そこで、本実施の形態においては、映像音声出力部２０５に与えられる外部入力信号がテレビジョン放送信号に基づく映像信号および音声信号に切り替えられるときに、ＭＰＥＧデコード部２０３への電源供給が完了していない場合には、情報記憶部６０１の情報信号が映像音声出力部２０５に与えられる。それにより、映像音声出力部２０５に所定の画像を表示することができる。その結果、視聴者は通信システム４０００が正常に作動していることを把握することができる。
【０２０２】
また、ＭＰＥＧデコード部２０３への電源供給が完了した後に、ＭＰＥＧデコード部２０３において映像信号および音声信号の復号化が完了していない場合には、情報記憶部６０１の情報信号が映像音声出力部２０５に与えられる。例えば、送信装置３００の選局部１０１、復調部１０２またはＭＰＥＧエンコード部１０４への電源供給が完了していないためにテレビジョン放送信号に基づく映像信号および音声信号が受信装置６００に送信されていない場合にも、映像音声出力部２０５に所定の画像を表示することができる。
【０２０３】
なお、上記実施の形態においては、図１６に示すように、制御部２０７に応答信号が与えられた後に、ステップＳ７５〜ステップＳ８１の処理を行っているが、ステップＳ７４の処理は設けなくてもよい。すなわち、ステップＳ７４において制御部２０７に応答信号が与えられていなくても、ステップＳ７５〜ステップＳ８１の処理を行ってもよい。
【０２０４】
（５）  外部入力切替情報および放送入力切替情報の入力方法
上記第１〜第４の実施の形態において、入力部２０６からの外部入力切替情報および放送入力切替情報の入力は以下の方法で行うことができる。
【０２０５】
例えば、リモコンに外部入力ボタンおよび送信装置入力ボタンを設け、これらのボタンを押すことにより外部入力情報または放送入力切替情報を入力する。
【０２０６】
また、他の方法としては、リモコンに１個の入力切替ボタンを設け、使用者が入力切替ボタンを押した際の受信装置２００，４００，５００，６００の内部状態に基づいて制御部２０７が外部入力切替情報および放送入力切替情報のうちどちらかを選択する。例えば、使用者が入力切替ボタンを押した際に、映像音声出力部２０５に外部入力信号が与えられている場合には、制御部２０７は放送入力切替情報を選択する。一方、使用者が入力切替ボタンを押した際に、映像音声出力部２０５にテレビジョン放送信号に基づく映像信号および音声信号が与えられている場合には、制御部２０７は外部入力切替情報を選択する。
【０２０７】
（６）  外部機器の映像信号および音声信号の入力方法の他の例
上記第１〜第４の実施の形態において、例えば、入力切替部１０３またはＭＰＥＧエンコード部１０４に外部機器をさらに接続して、その外部機器により生成される映像信号および音声信号を入力切替部１０３またはＭＰＥＧエンコード部１０４を介して入力してもよい。
【０２０８】
（７）  受信装置について
上記実施の形態においては、映像音声出力部２０５が表示装置および音声出力装置を含む場合について説明したが、映像音声出力部２０５の構成はそれに限定されない。例えば、受信装置２００，４００，５００，６００がビデオテープ、ＤＶＤまたはＨＤ（ハードディスク）等の記録媒体に情報を記録し、記録媒体に記録された情報を再生する録画再生装置である場合には、映像音声出力部２０５は映像信号出力端子および映像信号出力端子を含む。この場合、表示装置および音声出力装置は映像信号出力端子および音声信号出力端子にそれぞれ接続することができる。
【０２０９】
（８）  静止画抽出部および情報記憶部について
図１０で説明した受信装置５００において静止画抽出部５０１は、ＭＰＥＧデコード部２０３により静止画信号が復号化された後にその静止画信号を抽出し記憶しているが、ＭＰＥＧデコード部２０３により復号化されたテレビジョン放送信号に基づく映像信号から静止画信号を抽出してもよい。
【０２１０】
また、受信装置５００においては、静止画抽出部５０１の代わりに図１４の情報記憶部６０１を設けてもよい。また、図１４の受信装置６００においては、情報記憶部６０１の代わりに図１０の静止画抽出部５０１を設けてもよい。
【０２１１】
（９）  他の実施の形態
上記実施の形態においては、アナログのテレビジョン放送信号を受信する通信システムについて説明したが、以下にデジタルのテレビジョン放送信号を受信する通信システムについて説明する。図１８〜図２１は、デジタルのテレビジョン放送信号に適合する送信装置の構成を示すブロック図である。
【０２１２】
上記第１〜第４の実施の形態に係る通信システムをデジタルのテレビジョン放送信号に適合させる場合、図１および図１０の通信システム１０００，３０００においては、送信装置１００の代わりに図１８および図１９で説明する送信装置７００または送信装置７００Ａを用いればよく、図７および図１４の通信システム２０００，４０００においては、送信装置３００の代わりに図２０および図２１で説明する送信装置８００または送信装置８００Ａを用いればよい。
【０２１３】
以下、図１８〜図２１の各送信装置について説明する。
【０２１４】
図１８に示す送信装置７００が、図１および図１０の送信装置１００と異なるのは以下の点である。
【０２１５】
図１８に示すように、送信装置７００は、選局部７０１、復調部７０２、誤り訂正部７０３、分離部７０４、ＭＰＥＧデコード部７０５、入力切替部１０３、ＭＰＥＧエンコード部１０４、送信信号処理部１０５、無線信号送受信部１０６、受信信号処理部１０７、静止画生成部１０８、無音生成部１０９、制御部１１０および記憶部１１１を含む。
【０２１６】
送信装置７００の選局部７０１は、アンテナ７０６から入力される複数のチャンネルに対応する複数のデジタルテレビジョン放送信号の中から、制御部１１０により生成された選局信号に対応するチャンネルのデジタルテレビジョン放送信号を選択する。
【０２１７】
復調部７０２は、選局部７０１により選択されたデジタルテレビジョン放送信号を復調し、トランスポートストリームを生成する。
【０２１８】
誤り訂正部７０３は、復調部７０２により生成されたトランスポートストリームの誤り訂正を行う。
【０２１９】
分離部７０４は、誤り訂正部７０３により誤り訂正されたトランスポートストリームからデジタル映像信号およびデジタル音声信号を分離する。
【０２２０】
ＭＰＥＧデコード部７０５は、分離部７０４により分離されたデジタル映像信号およびデジタル音声信号を復号化し、アナログの映像信号および音声信号を生成する。
【０２２１】
入力切替部１０３は、制御部１１０により生成された入力切替信号に基づいて、ＭＰＥＧデコード部７０５により生成されたアナログの映像信号および音声信号を出力し、または静止画生成部１０８により生成された静止画信号および無音生成部１０９により生成された無音信号を出力する。
【０２２２】
以上のような構成を有する送信装置７００を図１および図１０の送信装置１００の代わりに用いることにより、デジタルテレビジョン放送に適合した通信システムにおいても、図１および図１０の通信システム１０００，３０００と同様の効果を得ることができる。
【０２２３】
図１９の送信装置７００Ａが、図１８の送信装置７００と異なるのは以下の点である。
【０２２４】
図１９に示すように、送信装置７００Ａは、復調部７０２、誤り訂正部７０３、分離部７０４およびＭＰＥＧデコード部７０５を備えておらず、選局部７０１により選択されたデジタルテレビジョン放送信号は、送信信号処理部１０５に与えられる。
【０２２５】
入力切替部１０３は、制御部１１０により生成された入力切替信号に基づいて、静止画生成部１０８により生成された静止画信号および無音生成部１０９により生成された無音信号を出力するか、または信号を出力しない。
【０２２６】
送信信号処理部１０５は、制御部１１０により生成された入力切替信号に基づいてＭＰＥＧエンコード部１０４により圧縮された信号または選局部７０１から与えられたデジタルテレビジョンを選択し、選択した信号および放送信号制御部１１０により生成された応答信号を予め決められた通信プロトコル（例えば、ＩＥＥＥ８０２．１１ａ）に準拠した信号にそれぞれ変換するとともに所定の変調処理および増幅処理等を施すことにより送信信号を生成する。
【０２２７】
以上のような構成を有する送信装置７００Ａを図１および図１０の送信装置１００の代わりに用いることにより、デジタルテレビジョン放送に適合した通信システムにおいても、図１および図１０の通信システム１０００，３０００と同様の効果を得ることができる。
【０２２８】
図２０に示す送信装置８００が、図７および図１４の送信装置３００と異なるのは以下の点である。
【０２２９】
図２０に示すように、送信装置８００は、選局部７０１、復調部７０２、誤り訂正部７０３、分離部７０４、ＭＰＥＧデコード部７０５、ＭＰＥＧエンコード部１０４、送信信号処理部１０５、無線信号送受信部１０６、受信信号処理部１０７、制御部１１０、記憶部１１１および電源制御部３０１を含む。
【０２３０】
選局部７０１、復調部７０２、誤り訂正部７０３、分離部７０４およびＭＰＥＧデコード部７０５は、図１８で説明した役割を担う。
【０２３１】
ＭＰＥＧエンコード部１０４は、ＭＰＥＧデコード部７０５により生成された映像信号および音声信号をＭＰＥＧ方式で圧縮符号化する。
【０２３２】
電源制御部３０１は、制御部１１０により生成された電源制御信号に基づいて、選局部７０１、復調部７０２、誤り訂正部７０３、分離部７０４、ＭＰＥＧデコード部７０５およびＭＰＥＧエンコード部１０４の電源制御を行う。
【０２３３】
以上のような構成を有する送信装置８００を図７および図１４の送信装置３００の代わりに用いることにより、デジタルテレビジョン放送に適合した通信システムにおいても、図７および図１４の通信システム２０００，４０００と同様の効果を得ることができる。
【０２３４】
図２１に示す送信装置８００Ａが、図２０の送信装置８００と異なるのは以下の点である。
【０２３５】
図２１に示すように、送信装置８００は、復調部７０２、誤り訂正部７０３、分離部７０４、ＭＰＥＧデコード部７０５およびＭＰＥＧエンコード部１０４を備えておらず、選局部７０１により選択されたデジタルテレビジョン放送信号は、送信信号処理部１０５に与えられる。
【０２３６】
送信信号処理部１０５は、選局部７０１から与えられたデジタルテレビジョン放送信号および制御部１１０により生成された応答信号を予め決められた通信プロトコル（例えば、ＩＥＥＥ８０２．１１ａ）に準拠した信号にそれぞれ変換するとともに所定の変調処理および増幅処理等を施すことにより送信信号を生成する。
【０２３７】
電源制御部３０１は、制御部１１０により生成された電源制御信号に基づいて、選局部７０１の電源制御を行う。
【０２３８】
以上のような構成を有する送信装置８００Ａを図７および図１４の送信装置３００の代わりに用いることにより、デジタルテレビジョン放送に適合した通信システムにおいても、図７および図１４の通信システム２０００，４０００と同様の効果を得ることができる。
【０２３９】
（１０）  請求項の各構成要素と実施の形態における各構成部との対応
上記実施の形態においては、選局部１０１、復調部１０２およびＭＰＥＧエンコード部１０４が受信部に相当し、無線信号送受信部１０６が第１の通信部に相当し、制御部１１０または電源制御部３０１が第１の制御部に相当し、無線信号送受信部２０１が第２の通信部に相当し、外部信号入力部２１０が取得部に相当し、入力切替部２０４および制御部２０７が第２の選択部に相当する。
【０２４０】
また、入力切替部１０３および制御部１１０が第１の選択部に相当し、ＭＰＥＧエンコード部１０４が符号化部に相当し、ＭＰＥＧデコード部２０３が復号化部に相当し、制御部２０７および電源制御部４０１が第２の制御部に相当し、静止画抽出部５０１または情報記憶部６０１が情報生成部に相当し、入力部２０６が指示部に相当し、制御部２０７が制御信号生成部に相当し、制御部１１０が応答信号生成部に相当する。
【０２４１】
また、選局部７０１、復調部７０２、誤り訂正部７０３、分離部７０４、ＭＰＥＧデコード部７０５、入力切替部１０３およびＭＰＥＧエンコード部１０４が受信部に相当する。
【産業上の利用可能性】
【０２４２】
本発明は、テレビジョン放送等の放送システム、受信装置および放送方法に有効に利用できる。
【図面の簡単な説明】
【０２４３】
【図１】図１は本発明の第１の実施の形態に係る通信システムの構成を示すブロック図
【図２Ａ】図２Ａは制御信号のフィールド構成を示す図
【図２Ｂ】図２Ｂは応答信号のフィールド構成を示す図
【図３】図３は受信装置における入力切替処理を示すフローチャート
【図４】図４は受信装置における入力切替処理を示すフローチャート
【図５】図５は送信装置における入力切替処理を示すフローチャート
【図６】図６は送信装置における入力切替処理を示すフローチャート
【図７】図７は本発明の第２の実施の形態に係る通信システムの構成を示すブロック図
【図８】図８は受信装置における入力切替処理を示すフローチャート
【図９】図９は送信装置における入力切替処理を示すフローチャート
【図１０】図１０は本発明の第３の実施の形態に係る通信システムの構成を示すブロック図
【図１１】図１１は受信装置における入力切替処理を示すフローチャート
【図１２】図１２は受信装置における入力切替処理を示すフローチャート
【図１３】図１３は送信装置における入力切替処理を示すフローチャート
【図１４】図１４は本発明の第４の実施の形態に係る通信システムの構成を示すブロック図
【図１５】図１５は受信装置における入力切替処理を示すフローチャート
【図１６】図１６は受信装置における入力切替処理を示すフローチャート
【図１７】図１７は送信装置における入力切替処理を示すフローチャート
【図１８】図１８はデジタルのテレビジョン放送信号に適合する送信装置の構成を示すブロック図
【図１９】図１９はデジタルのテレビジョン放送信号に適合する送信装置の構成を示すブロック図
【図２０】図２０はデジタルのテレビジョン放送信号に適合する送信装置の構成を示すブロック図
【図２１】図２１はデジタルのテレビジョン放送信号に適合する送信装置の構成を示すブロック図
【図１】
0004377912.tif 000002
【図２Ａ】
0004377912.tif 000003
【図２Ｂ】
0004377912.tif 000004
【図３】
0004377912.tif 000005
【図４】
0004377912.tif 000006
【図５】
0004377912.tif 000007
【図６】
0004377912.tif 000008
【図７】
0004377912.tif 000009
【図８】
0004377912.tif 000010
【図９】
0004377912.tif 000011
【図１０】
0004377912.tif 000012
【図１１】
0004377912.tif 000013
【図１２】
0004377912.tif 000014
【図１３】
0004377912.tif 000015
【図１４】
0004377912.tif 000016
【図１５】
0004377912.tif 000017
【図１６】
0004377912.tif 000018
【図１７】
0004377912.tif 000019
【図１８】
0004377912.tif 000020
【図１９】
0004377912.tif 000021
【図２０】
0004377912.tif 000022
【図２１】
0004377912.tif 000023